(57)【要約】【課題】シンプルな構成により、ＥＭＩノイズを低減させることができるプロジェクタを提供すること。【解決手段】プロジェクタ１００は、緑色画像信号Ｇ４および青色画像信号Ｂ４の位相を、基準色画像信号である赤色画像信号Ｒ４の位相から所定の割合づつシフトさせるための遅延回路２５，２６を備えることから、液晶ライトバルブ２８Ｒ，２８Ｇ，２８Ｂに入力される各色画像信号Ｒ５，Ｇ５ｄ，Ｂ５ｄは、それぞれ異なる位相を持つこととなる。よって、各色画像信号Ｒ５，Ｇ５ｄ，Ｂ５ｄの位相がそれぞれ異なることから、液晶ライトバルブ２８Ｒ，２８Ｇ，２８Ｂの駆動に伴い発生する高周波のピーク部分が分散され、ＥＭＩノイズを低減することができる。【選択図】図１
2007233217.tif 000002
【特許請求の範囲】
【請求項１】
複数の色光ごとの画像信号である各色画像信号を出力する画像信号処理部と、
前記色画像信号ごとに設けられ、入射される各色光をそれぞれ対応する前記色画像信号に応じて光変調する各色光用の光変調装置と、を備え、
複数の前記色画像信号のうち、基準となる位相を持つ基準色画像信号以外の色画像信号の位相を、前記基準色画像信号の位相から所定の割合づつシフトさせる遅延回路をさらに備えることを特徴とするプロジェクタ。
【請求項２】
前記遅延回路は、前記画像信号処理部における基準色画像信号以外の各色画像信号の出力部と、前記各色光用の光変調装置との間に設けられたダンピング抵抗、またはゲート素子であり、前記所定のシフト量の割合に応じてそれぞれ重み付けされていることを特徴とする請求項１に記載のプロジェクタ。
【請求項３】
前記遅延回路は、前記画像信号処理部における基準色画像信号以外の各色画像信号の出力部と、前記各色光用の光変調装置との間の配線パターンの長さを、前記所定のシフト量の割合に応じて調整したものであることを特徴とする請求項１に記載のプロジェクタ。
【請求項４】
前記基準色画像信号の位相を基準として、前記所定の割合づつシフトした位相を持つ前記各色画像信号のうち、位相差が最も大きい色画像信号の位相が、前記基準色画像信号の１／２周期における±１０％以内に収まることを特徴とする請求項１〜３のいずれか一項に記載のプロジェクタ。
【請求項５】
前記複数の色光は、赤色、緑色、青色光であり、
前記画像信号処理部からは、赤色画像信号と、緑色画像信号と、青色画像信号とが出力され、前記各色画像信号に対応する赤色用光変調装置、緑色用光変調装置、および青色用光変調装置は、各色用光変調装置ごとに光変調された各色変調光を合成するための略立方体状をなした合成光学系の対応する面にそれぞれ設けられていることを特徴とする請求項１〜４のいずれか一項に記載のプロジェクタ。
【発明の詳細な説明】
【技術分野】
【０００１】
本発明は、光変調装置として複数の液晶表示装置を備えたプロジェクタに関する。
【背景技術】
【０００２】
高圧水銀ランプや、メタルハライドランプなどの放電ランプを光源とし、光源が発する光を、光変調装置により画像信号に応じて変調し、変調された変調光により表される画像を拡大投写するプロジェクタが知られている。
このようなプロジェクタの光変調装置としては、自然な色合いで鮮やかな画像が得られる透過式の液晶表示装置である液晶ライトバルブや、反射型の液晶表示装置などが多く用いられている。
【０００３】
図５は、従来のプロジェクタの概略構成図である。
プロジェクタ２００は、放電ランプ（図示せず）などの光源からの光を、赤色光、緑色光、青色光の光３原色成分に分離し、色光ごとに光変調装置としての各色光用の液晶ライトバルブ２８Ｒ，２８Ｇ，２８Ｂにより画像信号に応じて変調し、再度合成したフルカラーの変調光を投写レンズ５０によりスクリーンＳＣに拡大投写する、いわゆる「液晶３板式プロジェクタ」である。
プロジェクタ２００は、外部機器である画像信号供給装置８０から入力されるアナログＲＧＢ信号Ｒ１，Ｇ１，Ｂ１を、画像信号コンバータ１６によりＡＤ変換し、さらに、スケーラ１７、および画像信号補正部２０を含む画像信号処理部２３にて所定の画像処理を行なった後、各色画像信号用のＤＡコンバータであるＤＡＣ２７Ｒ，２７Ｇ，２７ＢによりＤＡ変換することにより、液晶ライトバルブ２８Ｒ，２８Ｇ，２８Ｂで表示するのに適したアナログ画像信号Ｒ５，Ｇ５，Ｂ５を生成していた。
【０００４】
各液晶ライトバルブ２８Ｒ，２８Ｇ，２８Ｂには、前記生成されたアナログ画像信号Ｒ５，Ｇ５，Ｂ５と、当該アナログ画像信号を書き込むタイミングの基準となるタイミング制御部２１からの基準クロックＣＬＫとが、供給されていた。
また、ＤＡＣ２７Ｒ，２７Ｇ，２７Ｂの動作クロックは、画像信号補正部２０から供給される基準クロックＣＬＫであり、出力される画像信号Ｒ５，Ｇ５，Ｂ５も、それぞれ基準クロックＣＬＫと同期が取られていた。
このようにプロジェクタ２００が画像を投写する際には、３つの液晶ライトバルブ２８Ｒ，２８Ｇ，２８Ｂにおいて、基準クロックＣＬＫと同期が取られた画像信号Ｒ５，Ｇ５，Ｂ５が、基準クロックＣＬＫに同期して書き込まれていた。また、液晶ライトバルブ２８Ｒ，２８Ｇ，２８Ｂは、色光ごとに光変調された各色変調光を合成するための一辺が数センチメートルの略立方体状をなしたクロスダイクロイックプリズム４５の対応する面に、それぞれ設けられていた。
【０００５】
また、プロジェクタ２００や、パーソナルコンピュータのように、高速な動作クロックにより動作している電子機器においては、他の機器や、人体への影響を鑑み、電磁妨害（EMI:Electro Magnetic Interference）を低減させることが求められている。
このため、例えば、特許文献１には、プロジェクタなどの電子機器に用いられるＭＰＵ（Micro Processing Unit）におけるＥＭＩノイズの低減技術が提案されている。
特許文献１のＭＰＵでは、当該ＭＰＵの動作に伴い発生する高周波において、問題となるピーク部分が生じないように、スペクトル拡散クロック発信器（SSCG:Spread Spectrum Clock Generator）を含む専用の構成を備えている。
この構成により、動作クロックを意図的に変えることで周波数スペクトルを拡散し、規格を超えるピーク部分が生じないようにしていた。
【０００６】
【特許文献１】特開２００１−１４０５６号公報
【発明の開示】
【発明が解決しようとする課題】
【０００７】
図６は、従来のプロジェクタにおける各色画像信号のタイミングチャートを示す図である。前述したとおり、画像信号Ｒ５，Ｇ５，Ｂ５は、基準クロックＣＬＫと同期が取られているため、タイミングｔ１において略一斉に立ち上り、タイミングｔ２において略一斉に立ち下がるという周期を繰り返すことになる。このため、各液晶ライトバルブ２８Ｒ，２８Ｇ，２８Ｂが駆動されると、タイミングｔ１およびタイミングｔ２において当該各液晶ライトバルブにて発生した略同一の周波数域の高周波は、重畳され、ピーク部分を形成してしまう。
さらに、クロスダイクロイックプリズム４５のそれぞれ対応する面に設けられた各液晶ライトバルブ２８Ｒ，２８Ｇ，２８Ｂは、数センチメートル四方内に近接しているため、より高周波が重畳されやすい構成となっていた。
【０００８】
しかしながら、プロジェクタ２００に特許文献１のＳＳＣＧによるＥＭＩ低減技術を適用した場合、スペクトラム拡散クロック発信器を含む高価な専用部品が必要であるためコストアップとなってしまうばかりでなく、周辺部位の構成も当該技術に対応したものとする必要があるため、構成が複雑になってしまうという問題点があった。
このように、従来のプロジェクタ２００では、簡便にＥＭＩノイズを低減させることが困難であるという問題があった。
【０００９】
上記課題を解決するために、本発明では、シンプルな構成により、ＥＭＩノイズを低減させることができるプロジェクタを提供することを目的とする。
【課題を解決するための手段】
【００１０】
（１）上述した目的を達成するために、本発明のプロジェクタは、複数の色光ごとの画像信号である各色画像信号を出力する画像信号処理部と、色画像信号ごとに設けられ、入射される各色光をそれぞれ対応する色画像信号に応じて光変調する各色光用の光変調装置と、を備え、複数の色画像信号のうち、基準となる位相を持つ基準色画像信号以外の色画像信号の位相を、基準色画像信号の位相から所定の割合づつシフトさせる遅延回路をさらに備えることを特徴とする。
【００１１】
この構成によれば、プロジェクタは、複数の色画像信号のうち、基準となる位相を持つ基準色画像信号以外の色画像信号の位相を、基準色画像信号の位相から所定の割合づつシフトさせるための遅延回路をさらに備えることから、複数の色光変調装置に入力される色画像信号は、それぞれ異なる位相を持つこととなる。
よって、複数の光変調装置に入力される各色画像信号が全て同期していたため、発生する高周波成分が重畳され、ＥＭＩノイズのピーク部分を形成してしまっていた従来のプロジェクタと異なり、本発明のプロジェクタは、複数の画像信号の位相がそれぞれ所定の割合づつシフトしていることにより、複数の光変調装置の駆動に伴い発生する高周波のピーク部分が分散され、ＥＭＩノイズを低減することができる。
また、遅延回路は、例えば、画像信号処理部における基準色画像信号以外の各色画像信号の出力端子と、光変調装置との間にダンピング抵抗を入れる、あるいは、電送ラインの長さを変えるなどという簡便な回路により構成することができる。
従って、シンプルな構成により、ＥＭＩノイズを低減させることができるプロジェクタを提供することができる。
【００１２】
（２）本発明に係わるプロジェクタによれば、遅延回路は、画像信号処理部における基準色画像信号以外の各色画像信号の出力部と、各色光用の光変調装置との間に設けられたダンピング抵抗、またはゲート素子であり、所定のシフト量の割合に応じてそれぞれ重み付けされていることが好ましい。
【００１３】
この構成によれば、遅延回路は、画像信号処理部における基準色画像信号以外の各色画像信号の出力部と、各色光用の光変調装置との間に設けられたダンピング抵抗、またはゲート素子であることから、簡便な構成である。
また、ダンピング抵抗、およびゲート素子は、所定のシフト量の割合に応じてそれぞれ重み付けされていることから、簡便な構成により、基準色画像信号を基準として各色画像信号の位相をそれぞれ所定の割合づつシフトすることができる。
従って、シンプルな構成により、ＥＭＩノイズを低減させることができるプロジェクタを提供することができる。
【００１４】
（３）本発明に係わるプロジェクタによれば、遅延回路は、画像信号処理部における基準色画像信号以外の各色画像信号の出力部と、各色光用の光変調装置との間の配線パターンの長さを、所定のシフト量の割合に応じて調整したものであることが好ましい。
【００１５】
この構成によれば、遅延回路は、画像信号処理部における基準色画像信号以外の各色画像信号の出力部と、各色光用の光変調装置との間の配線パターンの長さを、前記所定のシフト量の割合に応じて調整したものであることから、特別な部品を必要とせず、簡便な構成である。
また、配線パターンの長さは、所定のシフト量の割合に応じて調整したものであることから、簡便な構成により、基準色画像信号を基準として各色画像信号の位相をそれぞれ所定の割合づつシフトさせることができる。
従って、シンプルな構成により、ＥＭＩノイズを低減させることができるプロジェクタを提供することができる。
【００１６】
（４）本発明に係わるプロジェクタによれば、基準色画像信号の位相を基準として、所定の割合づつシフトした位相を持つ各色画像信号のうち、位相差が最も大きい色画像信号の位相が、基準色画像信号の１／２周期における±１０％以内に収まることが好ましい。
【００１７】
一般のプロジェクタにおいて、入力された画像信号は、スケーリングや、γ補正などの画像処理を行う画像プロセッサなどから構成される画像信号処理部において、例えば、７５MHz，１３５MHzなどの高速の動作クロックに同期して処理されている。
この構成によれば、所定の割合づつシフトした位相を持つ各色画像信号のうち、位相差が最も大きい色画像信号の位相は、基準色画像信号の１／２周期における±１０％以内に収まる。ここで最大の位相差を有する色画像信号は、基準色画像信号の１／２周期における１０％分位相がシフトすることになるが、高速の動作クロックの周波数からすると極僅かな位相差であるため、当該動作クロックで動作している光変調装置の動作マージンの範疇で画像に影響を及ぼさずに扱うことができる。
このように、最大の位相差を有する色画像信号を含む基準色画像信号以外の各色画像信号は、各光変調装置において問題なく扱える画像信号であるとともに、基準色画像信号の位相を基準としてそれぞれ所定の割合づつ位相がシフトしていることから、当該光変調装置の駆動に伴い発生する高周波のピーク部分を分散し、ＥＭＩノイズを低減することができる。
従って、シンプルな構成により、ＥＭＩノイズを低減させることができるプロジェクタを提供することができる。
【００１８】
（５）本発明に係わるプロジェクタによれば、複数の色光は、赤色、緑色、青色光であり、画像信号処理部からは、赤色画像信号と、緑色画像信号と、青色画像信号とが出力され、各色画像信号に対応する赤色用光変調装置、緑色用光変調装置、および青色用光変調装置は、各色用光変調装置ごとに光変調された各色変調光を合成するための略立方体状をなした合成光学系の対応する面にそれぞれ設けられていることが好ましい。
【００１９】
前述した通り、合成光学系に用いられるクロスダイクロイックプリズムは、一般的に一辺が数センチメートルの略立方体状である。
この構成によれば、各色用光変調装置は近接しており、当該各色用光変調装置の駆動に伴い発生する高周波は、重畳されやすい構成となっている。しかし、本発明のプロジェクタによれば、３つの光変調装置の配置が近接していたとしても、入力される３つの色画像信号がそれぞれ異なる位相であることにより、３つの光変調装置の駆動に伴い発生する高周波のピーク部分が分散され、ＥＭＩノイズを低減することができる。
また、遅延回路は、３つの色画像信号のうち、基準色画像信号を除く２つの色画像信号に対応して設けられることから、構成がシンプルである。
従って、シンプルな構成により、ＥＭＩノイズを低減させることができる複数の光変調装置を備えたプロジェクタを提供することができる。
【発明を実施するための最良の形態】
【００２０】
以下、本発明の実施形態を図面に基づいて説明する。
【００２１】
（実施形態）
《プロジェクタの概略構成》
図１は、本発明の実施形態におけるプロジェクタの回路ブロック構成を主体とした概略構成図である。ここでは、プロジェクタ１００の回路ブロック構成の概要について説明する。なお、比較のため、従来のプロジェクタ２００と同一の部位については同一の番号を附して説明する。
プロジェクタ１００は、放電ランプ（図示せず）からの光を、赤色（Ｒ）光、緑色（Ｇ）光、青色（Ｂ）光の光３原色成分に分離し、色光ごとに光変調装置としての各色光用の液晶ライトバルブ２８Ｒ，２８Ｇ，２８Ｂにより画像信号に応じて変調し、再度合成したフルカラーの変調光を拡大投写する、いわゆる「液晶３板式プロジェクタ」である。
【００２２】
プロジェクタ１００は、制御部１１、記憶部１２、電源部１３、クロック発生部１４、画像信号コンバータ１６、画像信号処理部２３、遅延回路２５，２６、ＤＡＣ２７Ｒ，２７Ｇ，２７Ｂ、液晶ライトバルブ２８Ｒ，２８Ｇ，２８Ｂなどから構成されている。
制御部１１は、ＣＰＵ（Central Processing Unit）であり、画像信号処理部２３を含む各部とバスラインＢｕｓを介して信号のやり取りを行い、プロジェクタ１００の動作を制御する。
記憶部１２は、例えば、マスクＲＯＭや、フラッシュメモリ、ＦｅＲＡＭなどの不揮発性のメモリにより構成されている。記憶部１２には、プロジェクタ１００を起動させるための順序と内容を規定した起動プログラムなどの当該プロジェクタの動作を制御するための様々なプログラムおよび付随するデータが記憶されている。
電源部１３は、外部電源９０からの交流電力をインレットから導き、内蔵するＡＣ／ＤＣ変換部（いずれも図示せず）にて変圧、整流および平滑するなどの処理を施すことにより安定化させた電力をプロジェクタ１００の各部に供給する。
【００２３】
クロック発生部１４は、例えば、水晶発振子を含むオーバートーン発振回路であり、高速の源発振クロックをタイミング制御部２１などに供給する。
画像信号コンバータ１６は、例えば、パーソナルコンピュータなどの画像信号供給装置８０から入力されるアナログＲＧＢ信号を各色画像信号Ｒ１，Ｇ１，Ｂ１ごとにＡＤ変換するための３チャンネルのＡＤ変換回路（図示せず）を含んで構成されている。なお、アナログ画像信号は、ＲＧＢ信号に限定するものではなく、例えば、YUV，Y/Pb/Pr，Y/Cb/Cr，Y/R-Y/B-Yなどの形式で表されるコンポーネント信号であっても良い。
画像信号コンバータ１６は、スケーラ１７から供給されるサンプリングクロックＳＣＬＫに沿ってＡＤ変換を行い、生成したデジタル各色画像信号Ｒ２，Ｇ２，Ｂ２をスケーラ１７に出力する。
【００２４】
画像信号処理部２３は、スケーラ１７および画像信号補正部２０などから構成されている。スケーラ１７は、スケーラであり、フレームメモリ１８が付属している。
フレームメモリ１８は、例えば、ＤＲＡＭ（Dynamic Random Access Memory）により構成された、ＲＧＢの各色光ごとの色画像信号による画像データを記憶する３枚のメモリプレーンである。
スケーラ１７は、各色画像信号Ｒ２，Ｇ２，Ｂ２により表される画像を、当該各色画像信号の持つ解像度でＲＧＢの色光ごとにフレームメモリ１８に書き込み、液晶ライトバルブ２８Ｒ，２８Ｇ，２８Ｂにて表示可能な解像度に変換して読み出すことにより、画像信号Ｒ３，Ｇ３，Ｂ３を生成する。また、スクリーンに投写された有効画像の形状を矩形に近づけるための台形補正処理も、スケーリングと合せて行われる。また、スケーラ１７には、ＰＬＬ（Phase Locked Loop）を含むサンプリングクロック生成回路１９が含まれており、例えば、同期信号ＳＹＮＣの水平同期周波数を逓倍したサンプリングクロックＳＣＬＫを生成して画像信号コンバータ１６に出力する。なお、サンプリングクロック生成回路１９は、画像信号コンバータ１６に含まれる構成であっても良い。
【００２５】
画像信号補正部２０には、タイミング制御部２１およびＯＳＤメモリ２２が付属している。タイミング制御部２１は、タイミングジェネレータであり、入力されるクロック発生部１４の源発振クロック、およびサンプリングクロック生成回路１９の同期信号ＳＹＮＣから、動作クロックである基準クロックＣＬＫなどの複数のタイミング信号を生成し、液晶ライトバルブ２８Ｒ，２８Ｇ，２８Ｂを含む各部に供給する。
画像信号補正部２０は、１Ｄ（Dimension）−ＬＵＴ、および３Ｄ−ＬＵＴを備えており、タイミング制御部２１から供給される基準クロックＣＬＫに同期したタイミングで各色画像信号Ｒ３，Ｇ３，Ｂ３に画像処理を施す。具体的な画像処理内容は、１Ｄ−ＬＵＴによる液晶ライトバルブ２８Ｒ，２８Ｇ，２８ＢごとのＶＴ特性（印加電圧と、透過率との特性）を補正するγ補正や、３Ｄ−ＬＵＴによる当該液晶ライトバルブごとの固有の色むらを補正する色むら補正および色域補正などである。
また、高解像度の各液晶ライトバルブ２８Ｒ，２８Ｇ，２８Ｂへ画像信号を確実に書き込むために、シリアルデータの色画像信号を複数相のパラレルデータに変換する相展開処理も画像信号補正部２０にて行われる。なお、プロジェクタ１００では、各色画像信号を１２相展開している。
【００２６】
また、画像信号補正部２０は、ＯＳＤメモリ２２から画像調整の設定画面などを読み出し、読み出した設定画面を画像信号に重畳させるＯＳＤ（On Screen Display）機能を司る。ＯＳＤメモリ２２には、前記画像調整の設定画面に加えて、プロジェクタ１００を操作するための様々な操作メニュー画面や、入力している画像ソース名を表す「コンピュータ」などの状態表示情報などが記憶されている。
画像信号補正部２０は、このような画像処理が施された各色画像信号Ｒ４，Ｇ４，Ｂ４と、基準クロックＣＬＫとをそれぞれの出力部から出力する。
なお、プロジェクタ１００では、スケーラ１７および画像信号補正部２０を含む画像信号処理部２３を、１パッケージのビデオプロセッサＩＣとして構成している。また、当該ビデオプロセッサＩＣに、制御部１１の機能を持たせる構成としても良い。これらの構成によれば、各部を１パッケージＩＣに収められることから、部品点数および実装面積を大幅に低減することができる。
【００２７】
本発明の特徴点である遅延回路２５は、画像信号補正部２０における緑色画像信号Ｇ４の出力部と、緑色光用の光変調装置である液晶ライトバルブ２８Ｇとの間に設けられたダンピング抵抗、またはゲート素子である。同様に、遅延回路２６は、画像信号補正部２０における青色画像信号Ｂ４の出力部と、青色光用の光変調装置である液晶ライトバルブ２８Ｂとの間に設けられたダンピング抵抗、またはゲート素子である。また、遅延回路２５，２６を、画像信号補正部２０における各色画像信号Ｇ４，Ｂ４の出力部と、液晶ライトバルブ２８Ｇ，２８Ｂとの間の配線パターンの長さを調整することによって構成することであっても良い。
また、遅延回路２５と、遅延回路２６との回路定数の重み付けは異なっており、当該遅延回路を通過した信号の位相は、あらかじめ所定の割合に定められた回路定数に応じてシフトされる。なお、具体的な遅延量については後述する。
【００２８】
遅延回路２５に入力した緑色画像信号Ｇ４および基準クロックＣＬＫは、それぞれ当該遅延回路の回路定数に応じて遅延され、緑色画像信号Ｇ４ｄおよびクロックＣＬｄ１としてＤＡＣ２７Ｇに出力される。
ＤＡＣ２７Ｇは、緑色画像信号Ｇ４ｄに対応するＤＡコンバータであり、入力されるクロックＣＬｄ１を動作クロックとしてデジタル緑色画像信号Ｇ４ｄをＤＡ変換し、生成したアナログ緑色画像信号Ｇ５ｄを液晶ライトバルブ２８Ｇに出力する。
遅延回路２６に入力した青色画像信号Ｂ４および基準クロックＣＬＫは、それぞれ当該遅延回路の回路定数に応じて遅延され、青色画像信号Ｂ４ｄおよびクロックＣＬｄ２としてＤＡＣ２７Ｂに出力される。
ＤＡＣ２７Ｂは、青色画像信号Ｂ４ｄに対応するＤＡコンバータであり、入力されるクロックＣＬｄ２を動作クロックとしてデジタル青色画像信号Ｂ４ｄをＤＡ変換し、生成したアナログ青色画像信号Ｂ５ｄを液晶ライトバルブ２８Ｂに出力する。
【００２９】
また、プロジェクタ１００では、基準色画像信号を赤色画像信号Ｒ４としているため、赤色画像信号Ｒ４の出力部には、遅延回路は設けられていない。このため、画像信号補正部２０から出力された赤色画像信号Ｒ４、および基準クロックＣＬＫは、そのままの位相状態で対応するＤＡＣ２７Ｒに入力される。
ＤＡＣ２７Ｒは、赤色画像信号Ｒ４に対応するＤＡコンバータであり、入力される基準クロックＣＬＫを動作クロックとしてデジタル赤色画像信号Ｒ４をＤＡ変換し、生成したアナログ赤色画像信号Ｒ５を液晶ライトバルブ２８Ｒに出力する。
【００３０】
光変調装置である液晶ライトバルブ２８Ｒ，２８Ｇ，２８Ｂは、画素電極およびこれを駆動するための薄膜トランジスタ素子や薄膜ダイオード等のスイッチング素子が格子状に形成されたベース基板と、全面に渡って共通電極が形成された対向基板との間にＴＮ型液晶（いずれも図示せず）を挟み込んだ構成を持つアクティブマトリクス型の液晶表示装置である。
液晶ライトバルブ２８Ｒ，２８Ｇ，２８Ｂの外周部には、前記スイッチング素子を駆動するためのシフトレジスタなどから構成されるドライバ回路（図示せず）が内蔵されており、ＤＡＣ２７Ｒ，２７Ｇ，２７Ｂからの各色画像信号Ｒ５，Ｇ５ｄ，Ｂ５ｄは、それぞれ対応するドライバ回路に入力される。また、当該ドライバ回路には、動作クロックとしてタイミング制御部２１から基準クロックＣＬＫがそれぞれ入力されている。
【００３１】
液晶ライトバルブ２８Ｒは、基準クロックＣＬＫと同期が取られた赤色画像信号Ｒ５を、タイミング制御部２１からの基準クロックＣＬＫに同期したタイミングで書き込み、当該画像信号にて表される画像を表示する。
液晶ライトバルブ２８Ｇは、クロックＣＬｄ１と同期が取られた緑色画像信号Ｇ５ｄを、タイミング制御部２１からの基準クロックＣＬＫに同期したタイミングで書き込み、当該画像信号にて表される画像を表示する。
液晶ライトバルブ２８Ｂは、クロックＣＬｄ２と同期が取られた青色画像信号Ｂ５ｄを、タイミング制御部２１からの基準クロックＣＬＫに同期したタイミングで書き込み、当該画像信号にて表される画像を表示する。
【００３２】
《光学系の概要》
図２は、本発明のプロジェクタにおける光学系の概略構成図である。
ここでは、プロジェクタ１００の光学系の概要について図２を中心に適宜図１を交えて説明する。なお、比較のため、従来のプロジェクタ２００と同一の部位については同一の番号を附して説明する。また、以下説明においては、赤色光を「Ｒ光」、緑色光を「Ｇ光」、青色光を「Ｂ光」と表現する。
プロジェクタ１００の光学系は、光源部５、均一照明系１０、分離光学系３４、リレー光学系３９、合成光学系４５などから構成されている。
【００３３】
光源部５は、メタルハライドランプや、高圧水銀ランプなどの高輝度が得られる放電式ランプ１と、放電式ランプ１が放射した光を集光し、均一照明系１０に向けて射出するリフレクタ３を含んで構成されている。
均一照明系１０は、２枚のフライアイレンズ６、偏光変換素子７と、コンデンサレンズ８、反射ミラー９などから構成されている。
フライアイレンズ６は、光源部５方向から見て略矩形形状の輪郭を有する小レンズがマトリクス状に配列された構成を有し、２枚で対となっている。対となった各小レンズは、光源部５から射出された光束を部分光束に分割し、光軸方向に射出する。各小レンズから射出された複数の光源像は、コンデンサレンズ８などを介して、それぞれが液晶ライトバルブ２８Ｒ，２８Ｇ，２８Ｂ面にて結像される。これにより、液晶ライトバルブ２８Ｒ，２８Ｇ，２８Ｂ面における輝度分布が均一化される。
【００３４】
偏光変換素子７は、ＰＢＳ（Polarization Beam Splitter）アレイと、１／２波長板などから構成され、ランダム偏光を特定の直線偏光に変換する。特定の直線偏光は、各液晶ライトバルブの入射面に設けられた入射偏光板（図示せず）に入射可能な偏光であるため、偏光変換素子７がない場合、入射偏光板を透過できずに熱として無駄に費やされてしまっていた光を有効に活用することができる。
光源部５から射出された光は、２枚のフライアイレンズ６、偏光変換素子７、およびコンデンサレンズ８を通過した後、反射ミラー９で反射され、分離光学系３４側に射出される。
【００３５】
分離光学系３４は、ダイクロイックミラー３２、およびダイクロイックミラー３３を含んで構成されている。
ダイクロイックミラー３２は、ガラス板等にＲ光を透過し、Ｂ光およびＧ光を反射する性質のダイクロイック膜を形成した光学素子であり、Ｒ光を透過し、Ｂ光およびＧ光をダイクロイックミラー３３側に反射する。ダイクロイックミラー３２を透過したＲ光は、反射ミラー３５で反射された後、平行化レンズ４０により平行化され液晶ライトバルブ２８Ｒに入射する。ダイクロイックミラー３２で反射されたＢ光およびＧ光は、ダイクロイックミラー３３に入射する。
ダイクロイックミラー３３は、Ｇ光を反射しＢ光を透過する性質のダイクロイック膜を備えた光学素子であり、Ｇ光を液晶ライトバルブ２８Ｇ側に反射しＢ光を透過する。ダイクロイックミラー３３で反射したＧ光は、平行化レンズ４０により平行化され液晶ライトバルブ２８Ｇに入射する。ダイクロイックミラー３３を透過したＢ光は、リレー光学系３９に入射する。
【００３６】
リレー光学系３９は、２枚のリレーレンズ３７、２枚の反射ミラー３８などから構成されている。
ダイクロイックミラー３３を透過したＢ光は、リレーレンズ３７を介して反射ミラー３８で反射され、さらにリレーレンズ３７を介して反射ミラー３８で反射された後、平行化レンズ４０により平行化され液晶ライトバルブ２８Ｂに入射する。２つのリレーレンズ３７は、分離された３色光の中で最も長い光路を通過するＢ光の減衰を防ぐために設けられている。
【００３７】
合成光学系４５は、４つの直角プリズムが貼り合わされた構造をなし、内部に、Ｇ光を透過しＢ光を反射する誘電体多層膜であるダイクロイック膜４２と、Ｇ光を透過しＲ光を反射する誘電体多層膜であるダイクロイック膜４３とがＸ字状に設けられたクロスダイクロイックプリズムである。
液晶ライトバルブ２８Ｒ，２８Ｇ，２８Ｂは、一辺が数センチメートルの略立方体形状をなした合成光学系４５の３面に面して設けられている。また、各液晶ライトバルブ２８Ｒ，２８Ｇ，２８Ｂにおける光の入射面には入射偏光板が、合成光学系４５に面した光の射出面には出射偏光板（いずれも図示せず）が、それぞれ設けられている。なお、出射偏光板は、合成光学系４５の各面にあらかじめ貼り付けられている構成であっても良い。
解像度に応じた複数の画素を備える液晶ライトバルブ２８Ｒ，２８Ｇ，２８Ｂに入射した各色光は、それぞれの色画像信号Ｒ５，Ｇ５ｄ，Ｂ５ｄに応じて色光ごとの光学像を内包した各色変調光に変調され、それぞれ合成光学系４５内に射出される。
【００３８】
合成光学系４５は、液晶ライトバルブ２８Ｇからの緑色の変調光を透過し、当該緑色の変調光に液晶ライトバルブ２８Ｒからの赤色の変調光と、液晶ライトバルブ２８Ｂからの青色の変調光とを反射して重畳し、三原色の変調光を合成したフルカラーの画像を内包した変調光を投写レンズ５０に射出する。
合成光学系４５から射出された変調光は、ガウスタイプなどの複数のレンズを組合せた広角ズームレンズである投写レンズ５０により、スクリーンなどにフルカラーの画像として拡大投写される。
【００３９】
《光変調装置の駆動態様》
図３は、本発明のプロジェクタにおける各色画像信号のタイミングチャートを示す図である。ここでは、図３を中心に適宜図１を交えてプロジェクタ１００の光変調装置である液晶ライトバルブ２８Ｒ，２８Ｇ，２８Ｂの駆動態様について説明する。
前述した通り、液晶ライトバルブ２８Ｒ，２８Ｇ，２８Ｂは、タイミング制御部２１からの基準クロックＣＬＫにより駆動され、各色画像信号Ｒ５，Ｇ５ｄ，Ｂ５ｄに内包された画像を表示している。
【００４０】
ここで、基準クロックＣＬＫと同期が取られた赤色画像信号Ｒ５の位相を基準としたときに、クロックＣＬｄ１と同期が取られた緑色画像信号Ｇ５ｄの位相は、ディレイ時間ｄ１遅れている。また、同様に、クロックＣＬｄ２と同期が取られた青色画像信号Ｂ５ｄの位相は、ディレイ時間ｄ２遅れている。
ディレイ時間ｄ１は、基準クロックＣＬＫの１／２周期における５％に相当し、また、ディレイ時間ｄ２は、同１０％に相当する時間である。
このように、緑色画像信号Ｇ５ｄの位相は、基準色画像信号である赤色画像信号Ｒ５から所定の割合としての基準クロックＣＬＫの１／２周期における５％シフトし、青色画像信号Ｂ５ｄの位相は緑色画像信号Ｇ５ｄの位相からさらに同５％シフトしている。つまり、緑色画像信号Ｇ５ｄと、青色画像信号Ｂ５ｄとの位相は、赤色画像信号Ｒ５の位相から所定の割合としての同５％づつシフトしている。なお、所定の割合は、基準クロックＣＬＫの１／２周期における５％に限定するものではなく、位相差が最も大きい青色画像信号Ｂ５ｄの位相が、基準クロックＣＬＫの１／２周期における１０％以内に収まる範疇であれば良い。
【００４１】
また、ディレイ時間ｄ１およびディレイ時間ｄ２は、遅延回路２５および遅延回路２６の回路定数の重み付けによりあらかじめ定められている。例えば、ダンピング抵抗により遅延回路を構成する場合には、遅延回路２６のダンピング抵抗値を、遅延回路２５のダンピング抵抗値の２倍に設定する。また、遅延回路２５にゲート素子を１段設けた場合、遅延回路２６にはゲート素子を２段設ける。また、配線パターン長さ調整により遅延回路を構成する場合には、遅延回路２６の配線パターン長さを、遅延回路２５における配線パターン長さの２倍の長さに設定する。
また、基準クロックＣＬＫが７５MHzであった場合、１／２周期は約６．６７nsec、当該１／２周期における１０％は０．６６７nsecとなり、ディレイ時間ｄ２は極僅かな時間である。このディレイ時間ｄ２は、高速の基準クロックＣＬＫで動作している液晶ライトバルブ２８Ｂのドライバ回路における動作マージンの範疇で画像に影響を及ぼさずに扱える程度のものである。なお、液晶ライトバルブ２８Ｇにおけるディレイ時間ｄ１の影響度合いについても同様である。
【００４２】
上述した通り、本実施形態によれば以下の効果が得られる。
（１）プロジェクタ１００は、緑色画像信号Ｇ４および青色画像信号Ｂ４の位相を、基準色画像信号である赤色画像信号Ｒ４の位相から所定の割合づつシフトさせるための遅延回路２５，２６を備えることから、液晶ライトバルブ２８Ｒ，２８Ｇ，２８Ｂに入力される各色画像信号Ｒ５，Ｇ５ｄ，Ｂ５ｄは、図３に示されるようにそれぞれ異なる位相を持つこととなる。
よって、各色画像信号Ｒ５，Ｇ５ｄ，Ｂ５ｄの位相がそれぞれ異なることから、液晶ライトバルブ２８Ｒ，２８Ｇ，２８Ｂの駆動に伴い発生する高周波のピーク部分が分散され、ＥＭＩノイズを低減することができる。
また、遅延回路２５，２６は、ダンピング抵抗、またはゲート素子などにより簡便に構成することができる。
従って、シンプルな構成により、ＥＭＩノイズを低減させることができるプロジェクタ１００を提供することができる。
【００４３】
（２）遅延回路２５は、画像信号補正部２０における緑色画像信号Ｇ４の出力部と、緑色光用の光変調装置である液晶ライトバルブ２８Ｇとの間に設けられたダンピング抵抗、またはゲート素子である。同様に、遅延回路２６は、画像信号補正部２０における青色画像信号Ｂ４の出力部と、青色光用の光変調装置である液晶ライトバルブ２８Ｂとの間に設けられたダンピング抵抗、またはゲート素子である。
よって、遅延回路２５，２６を簡便に構成することができる。
また、ダンピング抵抗、およびゲート素子は、所定のシフト量の割合に応じてそれぞれ重み付けされていることから、簡便な構成により、赤色画像信号Ｒ４を基準として各色画像信号Ｇ４，Ｂ４の位相をそれぞれ所定の割合づつシフトすることができる。
従って、シンプルな構成により、ＥＭＩノイズを低減させることができるプロジェクタ１００を提供することができる。
【００４４】
（３）遅延回路２５，２６は、画像信号補正部２０における各色画像信号Ｇ４，Ｂ４の出力部と、液晶ライトバルブ２８Ｇ，２８Ｂとの間の配線パターンの長さを調整することによって構成することもできる。
遅延回路２５，２６は、配線パターンの長さを、所定のシフト量の割合に応じて調整したものであることから、特別な部品を必要としない簡便な構成により、赤色画像信号Ｒ４を基準として各色画像信号Ｇ４，Ｂ４の位相をそれぞれ所定の割合づつシフトすることができる。
従って、シンプルな構成により、ＥＭＩノイズを低減させることができるプロジェクタ１００を提供することができる。
【００４５】
（４）所定の割合は、基準色画像信号との位相差が最も大きい青色画像信号Ｂ５ｄの位相が、基準クロックＣＬＫの１／２周期における１０％以内に収まるように設定されている。例えば、基準クロックＣＬＫが７５MHzであった場合、１／２周期は約６．６７nsec、当該１／２周期における１０％は０．６６７nsecとなり、青色画像信号Ｂ５ｄのディレイ時間ｄ２は極僅かな時間である。
青色画像信号Ｂ５ｄは、ディレイ時間ｄ２の分位相がシフトしているが、高速の基準クロックＣＬＫの周波数からすると極僅かな位相差であるため、基準クロックＣＬＫで動作している液晶ライトバルブ２８Ｂのドライバ回路における動作マージンの範疇で画像に影響を及ぼさずに扱うことができる。また、液晶ライトバルブ２８Ｇにおけるディレイ時間ｄ１の分位相がシフトした緑色画像信号Ｇ５ｄの影響度合いについても同様である。
【００４６】
このように、緑色画像信号Ｇ５ｄおよび青色画像信号Ｂ５ｄは、液晶ライトバルブ２８Ｇ，２８Ｂにおいて画像に影響を及ぼすことなく扱える画像信号であり、基準クロックＣＬＫと同期して各液晶ライトバルブ２８Ｇ，２８Ｂに書き込まれる。さらに、液晶ライトバルブ２８Ｇ，２８Ｂから射出される緑色、青色変調光は、基準クロックＣＬＫと同期が取られた液晶ライトバルブ２８Ｒからの赤色変調光と合成光学系４５において合成され、フルカラーの変調光として投写レンズ５０に射出される。
よって、同期が取られたＲＧＢ各色変調光の合成光である変調光が表す投写画像は、液晶３板式の特長である自然で鮮やかなフルカラーの投写画像となる。
さらに、緑色画像信号Ｇ５ｄおよび青色画像信号Ｂ５ｄは、赤色画像信号Ｒ５の位相を基準としてそれぞれ所定の割合づつ位相がシフトしていることから、当該液晶ライトバルブの駆動に伴い発生する高周波のピーク部分を分散し、ＥＭＩノイズを低減することができる。
従って、自然で鮮やかな画像を投写するとともに、シンプルな構成によりＥＭＩノイズを低減させることができるプロジェクタ１００を提供することができる。
【００４７】
（５）一辺が数センチメートルの略立方体形状をなした合成光学系４５の３面に面して設けられている液晶ライトバルブ２８Ｒ，２８Ｇ，２８Ｂは、近接しているため、各液晶ライトバルブの駆動に伴い発生する高周波が重畳され易い。しかし、当該液晶ライトバルブに供給される各色画像信号Ｒ５，Ｇ５ｄ，Ｂ５ｄの位相は、簡便な構成を持つ遅延回路２５，２６の作用により、それぞれ異なることから、液晶ライトバルブ２８Ｒ，２８Ｇ，２８Ｂの駆動に伴い発生する高周波のピーク部分が分散され、ＥＭＩノイズを低減することができる。
従って、シンプルな構成により、ＥＭＩノイズを低減させることができる複数の光変調装置を備えたプロジェクタ１００を提供することができる。
【００４８】
なお、本発明は上述した実施形態に限定されず、上述した実施形態に種々の変更や改良などを加えることが可能である。変形例を以下に述べる。
【００４９】
（変形例１）
図４は、異なる態様のプロジェクタの概略構成図である。ここでは、異なる態様のプロジェクタ１１０の概略構成について図４を中心に、適宜図１を交えて説明する。なお、図１のプロジェクタ１００と同一の構成部位については同一の符号を附し、重複する説明は省略する。プロジェクタ１１０は、ＤＡＣ２７Ｒ，２７Ｇ，２７Ｂの後段に、各色液晶ドライバ２９Ｒ，２９Ｇ，２９Ｂを設けたこと、および当該各色液晶ドライバに基準クロックＣＬＫが入力され、当該各色液晶ドライバにより各液晶ライトバルブ２８Ｒ，２８Ｇ，２８Ｂを駆動するという構成のみプロジェクタ１００と異なる。
前記実施形態において、各液晶ライトバルブ２８Ｒ，２８Ｇ，２８Ｂへの基準クロックＣＬＫを含む駆動タイミング信号は、タイミング制御部２１から各液晶ライトバルブに供給されていたが、この構成に限定するものではない。
【００５０】
例えば、図４に示すように、ＤＡＣ２７Ｒ，２７Ｇ，２７Ｂの後段に、各色液晶ドライバ２９Ｒ，２９Ｇ，２９Ｂを設ける構成であっても良い。
半導体市場には、ＤＡコンバータと、液晶ドライバとを１パッケージ化したＩＣが汎用ＩＣとして多数上市されている。この構成によれば、各色画像信号用のＤＡＣ２７Ｒ，２７Ｇ，２７Ｂと、各色液晶ドライバ２９Ｒ，２９Ｇ，２９Ｂとを、それぞれ３つのパッケージＩＣにより構成することができることから、実装部品点数の低減、および、実装面積を小さくすることができる。また、各液晶ライトバルブ２８Ｒ，２８Ｇ，２８Ｂの駆動タイミング、および、各色画像信号Ｒ５，Ｇ５ｄ，Ｂ５ｄの位相シフト態様は、プロジェクタ１００と同様であることから、前記実施形態と同様の作用効果を奏することができる。
従って、シンプルな構成により、ＥＭＩノイズを低減させることができるプロジェクタ１１０を提供することができる。
【００５１】
（変形例２）
図３を用いて説明する。前記実施形態において、緑色画像信号Ｇ５ｄ、青色画像信号Ｂ５ｄの位相は、基準クロックＣＬＫと同期が取られた赤色画像信号Ｒ５の位相を基準として、それぞれディレイ時間ｄ１、またはディレイ時間ｄ２遅れていることとして説明したが、これに限定するものではない。
例えば、赤色画像信号Ｒ５の位相を基準として、緑色画像信号Ｇ５ｄ、青色画像信号Ｂ５ｄのそれぞれ位相が所定の割合づつ進んでいることであっても良い。すなわち、基準色画像信号との位相差が最も大きい色画像信号の位相が、基準クロックＣＬＫの１／２周期における±１０％以内に収まる範疇であれば良い。
この構成であっても、各色画像信号は、各液晶ライトバルブ２８Ｒ，２８Ｇ，２８Ｂにおいて問題なく扱える画像信号であるとともに、基準色画像信号の位相を基準としてそれぞれ所定の割合づつ位相がシフトしていることから、当該液晶ライトバルブの駆動に伴い発生する高周波のピーク部分を分散し、ＥＭＩノイズを低減することができる。
従って、前記実施形態と同様の作用効果を得ることができる。
【００５２】
（変形例３）
図２を用いて説明する。前記実施形態において、プロジェクタ１００は、光変調装置として透過式の液晶ライトバルブ２８Ｒ，２８Ｇ，２８Ｂを備えていたが、この構成に限定するものではない。例えば、赤色、緑色、青色光用の３枚の反射型液晶表示装置を用いる構成であっても良い。
また、適用する電子機器も、投写式のプロジェクタに限定するものではなく、例えば、複数の光変調装置を含む光学系と、スクリーンとを１つの個体内に備えたリアプロジェクタであっても良い。この構成の場合も、光変調装置として、透過式の液晶ライトバルブ、または反射型液晶表示装置を用いることができる。
これらの構成であっても、複数の光変調装置に加える各色画像信号の位相をシフトすることにより、前記実施形態および変形例と同様な作用効果を得ることができる。
【図面の簡単な説明】
【００５３】
【図１】一実施形態におけるプロジェクタの回路ブロック構成を主体とした概略構成図。
【図２】光学系の概略構成図。
【図３】各色画像信号のタイミングチャートを示す図。
【図４】異なる態様のプロジェクタの概略構成図。
【図５】従来のプロジェクタの概略構成図。
【図６】従来のプロジェクタにおける各色画像信号のタイミングチャートを示す図。
【符号の説明】
【００５４】
１７…画像信号処理部のスケーラ、２０…画像信号処理部の画像信号補正部、２３…画像信号処理部、２５，２６…遅延回路、２７Ｒ，２７Ｇ，２７Ｂ…ＤＡＣ、２８Ｒ，２８Ｇ，２８Ｂ…光変調装置としての液晶ライトバルブ、４５…合成光学系、１００…プロジェクタ、Ｒ１〜Ｒ３…赤色画像信号、Ｒ４〜Ｒ５…基準色画像信号としての赤色画像信号、Ｇ１〜Ｇ４，Ｇ４ｄ〜Ｇ５ｄ…緑色画像信号、Ｂ１〜Ｂ４，Ｂ４ｄ〜Ｂ５ｄ…青色画像信号、ＣＬＫ…基準クロック、ＣＬｄ１，ＣＬｄ２…クロック、ｄ１，ｄ２…ディレイ時間。
【図１】
2007233217.tif 000003
【図２】
2007233217.tif 000004
【図３】
2007233217.tif 000005
【図４】
2007233217.tif 000006
【図５】
2007233217.tif 000007
【図６】
2007233217.tif 000008